(57)【要約】【課題】安全装置の機能を、その構造を複雑にすることなく、適切に向上させる。【解決手段】回動中心４２を挟んだ一方側に掛合部４０を有し、かつ、他方側に重心４１を位置させた第一回動体４と、この回動中心４２位置において回動可能に支持されると共に、この回動中心４２を挟んだ一方側に重心５０を有し、かつ、他方側に第一回動体４の他方側への第一当接部５１を備えた第二回動体５と、第一回動体４の他方側を前記第一当接部５１に当接させる正転方向への付勢力をこの第一回動体４に作用させる付勢手段６と、支持体２に備えられて前記第二回動体５の他方側に当接される第二当接部２４とを備えている。【選択図】図１
2014012932.tif 000002
【特許請求の範囲】
【請求項１】
乗り物に備えられる開閉動作体が閉じ位置にある状態を、所定の大きさ以上の慣性力の作用時においても維持する安全機構であって、
前記開閉動作体の支持体に回動可能に支持されると共に、この回動中心を挟んだ一方側に掛合部を有し、かつ、他方側に重心を位置させた第一回動体と、
前記支持体に前記回動中心位置において回動可能に支持されると共に、この回動中心を挟んだ一方側に重心を有し、かつ、他方側に第一回動体の他方側への第一当接部を備えた第二回動体と、
前記第一回動体の他方側を前記第一当接部に当接させる正転方向への付勢力をこの第一回動体に作用させる付勢手段と、
前記支持体に備えられて前記第二回動体の他方側に当接される第二当接部とを備えており、
前記第一回動体を逆転方向に回動させ、かつ、前記第二回動体を正転方向に回動させる前記慣性力が作用されたときは、第二回動体のこの正転は前記第二当接部によって阻止されると共に、前記付勢手段の付勢に抗して第一回動体は逆転方向に回動して前記掛合部が閉じ位置にある開閉動作体の被掛合部に掛合され、
前記第一回動体を正転方向に回動させ、かつ、前記第二回動体を逆転方向に回動させる慣性力が作用されたときは、前記第一当接部を介して前記付勢手段の付勢に抗してこの第一回動体は逆転方向に回動して前記掛合部が閉じ位置にある開閉動作体の被掛合部に掛合されるようになっていることを特徴とする安全機構。
【請求項２】
前記第一回動体を正転方向に回動させ、かつ、前記第二回動体を逆転方向に回動させる慣性力が作用されたときは、第二回動体を逆転させるモーメントが、付勢手段の付勢力を含んだ第一回動体を正転させるモーメントよりも大きくなるようにしてあることを特徴とする請求項１に記載の安全機構。
【請求項３】
閉じ位置にある開閉動作体は開き方向と逆向きに所定寸法の押し込み移動可能となっており、第一回動体の掛合部が開閉動作体の被掛合部に掛合した状態から開閉動作体を前記所定寸法分押し込み移動操作したときにこの掛合が解除されるようになっていることを特徴とする請求項１又は請求項２に記載の安全機構。
【発明の詳細な説明】
【技術分野】
【０００１】
この発明は、乗り物に備えられる各種の開閉動作体が閉じ位置にある状態を、所定の大きさ以上の慣性力の作用時においても維持させる安全装置の改良に関する。
【背景技術】
【０００２】
プッシュ・プッシュ式のラッチ装置により閉じ位置に保持されるリッドのこの保持状態が、自動車の急停車時などにおいてこのリッドに作用される慣性力によって解除されるようなときに作動して、このリッドの開き方向への可動を阻止する安全装置がある。（Ｇセンサーなどと称される。特許文献１参照）かかる安全装置は、前記慣性力の作用により回動する応動部材を有しており、この応動部材の回動時にこれに設けたピンをリッドの一部に掛合させるようになっている。しかるに、特許文献１のものは応動部材は単一であり、前記ピンの掛合はかかる応動部材を一方向に回動させるような慣性力の作用時にのみ生じるにとどまる。
【先行技術文献】
【特許文献】
【０００３】
【特許文献１】特許第４９０６７０６号公報
【発明の概要】
【発明が解決しようとする課題】
【０００４】
この発明が解決しようとする主たる問題点は、この種の安全装置の機能を、その構造を複雑にすることなく、適切に向上させる点にある。
【課題を解決するための手段】
【０００５】
前記課題を達成するために、この発明にあっては、安全装置を、乗り物に備えられる開閉動作体が閉じ位置にある状態を、所定の大きさ以上の慣性力の作用時においても維持する安全機構であって、
前記開閉動作体の支持体に回動可能に支持されると共に、この回動中心を挟んだ一方側に掛合部を有し、かつ、他方側に重心を位置させた第一回動体と、
前記支持体に前記回動中心位置において回動可能に支持されると共に、この回動中心を挟んだ一方側に重心を有し、かつ、他方側に第一回動体の他方側への第一当接部を備えた第二回動体と、
前記第一回動体の他方側を前記第一当接部に当接させる正転方向への付勢力をこの第一回動体に作用させる付勢手段と、
前記支持体に備えられて前記第二回動体の他方側に当接される第二当接部とを備えており、
前記第一回動体を逆転方向に回動させ、かつ、前記第二回動体を正転方向に回動させる前記慣性力が作用されたときは、第二回動体のこの正転は前記第二当接部によって阻止されると共に、前記付勢手段の付勢に抗して第一回動体は逆転方向に回動して前記掛合部が閉じ位置にある開閉動作体の被掛合部に掛合され、
前記第一回動体を正転方向に回動させ、かつ、前記第二回動体を逆転方向に回動させる慣性力が作用されたときは、前記第一当接部を介して前記付勢手段の付勢に抗してこの第一回動体は逆転方向に回動して前記掛合部が閉じ位置にある開閉動作体の被掛合部に掛合されるようになっているものとした。
【０００６】
かかる構成によれば、逆転方向への回動により閉じ位置にある開閉動作体の被掛合部に掛合部を掛合させる第一回動体に対しこれを正転方向に回動させる前記慣性力が作用されたときにおいても、第二回動体によって第一回動体を逆転方向に回動させて開閉動作体の開き位置に向けた移動を抑止して、開閉動作体が閉じ位置にある状態を前記慣性力の作用時においても維持することができる。
【０００７】
前記第一回動体を正転方向に回動させ、かつ、前記第二回動体を逆転方向に回動させる慣性力が作用されたときは、第二回動体を逆転させるモーメントが、付勢手段の付勢力を含んだ第一回動体を正転させるモーメントよりも大きくなるようにしておくことが、この発明の好ましい態様の一つとされる。
【０００８】
また、前記閉じ位置にある開閉動作体を開き方向と逆向きに所定寸法の押し込み移動可能としておき、第一回動体の掛合部が開閉動作体の被掛合部に掛合した状態から開閉動作体を前記所定寸法分押し込み移動操作したときにこの掛合が解除されるようにしておくことが、この発明の好ましい態様の一つとされる。
【発明の効果】
【０００９】
この発明によれば、第一回動体と、これと重心位置を異にする第二回動体とを組み合わせることにより、この種の安全装置の機能を、その構造を複雑にすることなく、適切に向上させることができる。
【図面の簡単な説明】
【００１０】
【図１】図１はこの発明の一実施の形態にかかる安全機構を適用して構成された収納装置の斜視図であり、開閉動作体としてのリッドは開き位置にある。
【図２】図２は前記収納装置の斜視図であり、開閉動作体としてのリッドは閉じ位置にある。
【図３】図３は前記収納装置の左側面図であり、開閉動作体としてのリッドは閉じ位置にある。
【図４】図４は前記安全機構の分解斜視図である。
【図５】図５は前記安全機構の主要部の分解斜視図である。
【図６】図６は前記収納装置の右側面図であり、安全機構の備えられた箇所を拡大して示している。
【図７】図７は前記収納装置の右側面図であり、第一回動体を想像線で示すと共に、付勢手段を構成するねじりコイルバネの記載を省略して安全機構の備えられた箇所を拡大して示している。
【図８】図８は図６の状態から第一回動体を逆転させる慣性力が作用された状態を示した収納装置の右側面図である。
【図９】図９は図８の要部を拡大して示した前記収納装置の右側面図であり、第一回動体を想像線で示すと共に、付勢手段を構成するねじりコイルバネの記載を省略して示している。
【図１０】図１０は図６の状態から第一回動体を正転させる慣性力が作用された状態を示した収納装置の右側面図である。
【図１１】図１１は図１０の要部を拡大して示した前記収納装置の右側面図であり、第一回動体を想像線で示すと共に、付勢手段を構成するねじりコイルバネの記載を省略して示している。
【図１２】図１２は図１１の状態からリッドが開き位置に向けてやや回動した状態を示した前記収納装置の右側面図であり、第一回動体を想像線で示すと共に、付勢手段を構成するねじりコイルバネの記載を省略して示している。
【発明を実施するための形態】
【００１１】
以下、図１〜図１２に基づいて、この発明の典型的な実施の形態について、説明する。この実施の形態にかかる安全機構は、乗り物に備えられる各種の開閉動作体１（例えば、自動車の室内に備えられる収納装置のリッドなど）が閉じ位置にある状態を、所定の大きさ以上の慣性力の作用時（例えば、自動車の急停車時や衝突時など）においても維持させるために用いられるものである。
【００１２】
図１〜図１２は、かかる安全機構を、前記開閉動作体１としてのリッド１’と、このリッド１’を回動可能に支持する支持体２としての本体２’とからなる収納装置に適用した例を示している。
【００１３】
リッド１’は、その左右にそれぞれ、アーム部１０を備えている。アーム部１０はリッド１’の上下方向略中程の位置からリッド１’の背面側に向けて突出されている。
【００１４】
本体２’は、実質的に前面を開放させた箱状をなすように構成されている。本体２’の開放部２０の左右にはそれぞれ、リッド１’のアーム部１０を通過させる貫通部２１が形成されている。
【００１５】
リッド１’は、左側のアーム部１０を本体２’の左側の貫通部２１を通じて本体２’の左側の側面部２２の外方に位置させ、かつ、右側のアーム部１０を本体２’の右側の貫通部２１を通じて本体２’の右側の側面部２２の外方に位置させる。そして、リッド１’は、その左右においてそれぞれ、アーム部１０の基部と自由端との間において、本体２’の側面部２２に回動可能に組み合わされている。（この回動組付け位置を各図において符号１１で示す。）
【００１６】
図示の例では、リッド１’は、略９０度の範囲で回動するように、本体２’に組み合わされている。リッド１’は本体２’の開放部２０を塞いだ閉じ位置から、前記回動組み付け位置１１よりも下方に位置された箇所を上方に移動させ、かつ、前記回動組付け位置１１よりも上方に位置された箇所を下方に移動させるように略９０度回動し、本体２’の開放部２０を開放するようになっている。（図１／以下、この図１のリッド１’の位置を開き位置という。）この開き位置においては、前記閉じ位置においてリッド１’の回動組付け位置１１より下方に位置された箇所は本体２’の開放部２０より前方に突きだし、前記閉じ位置においてリッド１’の回動組付け位置１１より上方に位置された箇所は本体２’内に入り込むようになっている。
【００１７】
図示の例では、前記閉じ位置にあるリッド１’には、図示を省略する公知の付勢手段によって前記開き位置に向けた付勢力が作用されるようになっている。また、前記閉じ位置にあるリッド１’は、公知のいわゆるプッシュ操作式のラッチ手段３によって、前記付勢手段の付勢に抗して閉じ位置にある状態を維持されるようになっている。より具体的には、図示の例では、前記開き位置から閉じ位置に向けてリッド１’を回動させると、この回動の過程でリッド１’の一部１２が前記ラッチ手段３に入り込み、閉じ位置においてこの一部１２がラッチ手段３の係合部（図示は省略する。）に係合されるようになっている。それと共に、図示の例では、閉じ位置にあるリッド１’は開き方向と逆向きに所定寸法の押し込み移動可能となっている。そして、前記ラッチ手段３は、閉じ位置にあるリッド１’をこのように逆向きに押し込み操作すると前記係合部とリッド１’の一部１２との係合を解除するようになっている。図示の例では、本体２’の右側の側面部２２の外側に安全機構が備えられており、前記のように構成されるラッチ手段３を本体２’の左側の側面部２２の外側に備えさせることにより前記閉じ位置においてリッド１’の左側のアーム部１０の自由端を前記リッド１’の一部１２としてこのラッチ手段３により捕捉できるようになっている。
【００１８】
安全機構は、第一回動体４、第二回動体５、付勢手段６、および第二当接部２４を備えてなる。
【００１９】
第一回動体４は、前記開閉動作体１の支持体２として本体２’に回動可能に支持されると共に、この回動中心４２を挟んだ一方側に掛合部４０を有し、かつ、他方側に重心４１を位置させている。
【００２０】
図示の例では、第一回動体４は、前後方向に長く構成されると共に、その中央に前記本体２’の側面部２２に形成される軸部２３の通される軸穴４３を備えている。図示の例では、かかる軸部２３は、ネジ２３ｂにより本体２’の側面部２２に止めつけられるスリーブ状体２３ａによって構成されている。第一回動体４は、この軸穴４３の形成箇所、つまり、前記回動中心４２を屈曲中心として、上方を屈曲外側とするように屈曲した形態となっている。
【００２１】
第一回動体４の前記回動中心４２を挟んだ一方側、図示の例では前側は、この第一回動体４の表面の一部を構成する表側分岐部分４４と、この第一回動体４の裏面の一部を構成する裏側分岐部分４５とに分岐されている。この両分岐部分４４、４５の間にはリッド１’の右側のアーム部１０の自由端を導入可能とする間隔４６が形成されている。
【００２２】
図示の例では、前記掛合部４０を、前記表側分岐部分４４側から前記間隔内に突き出すピン体４０ａによって構成させている。図示の例では、表側分岐部分４４に、一端側を直角に屈曲された線材４０ｂのこの屈曲された一端側を通す貫通孔４４ａが形成されており、この貫通孔４４ａを通じて前記間隔４６内に入り込んだ線材４０ｂの一端部によって前記ピン体４０ａを構成させている。前記線材４０ｂの屈曲箇所から他端に亘る部分は表側分岐部分４４の外側に位置される。図示の例では、第一回動体４の前側には、Ｕ字状に成形された板バネ４７がその両腕間に表側分岐部分４４と裏側分岐部分４５を挟み込むようにして取り付けられており、この板バネ４７によって前記線材は表側分岐部分４４の外側から押さえつけられ、そして、この板バネ４７の付勢によって前記ピン体４０ａは前記間隔４６内に突出されている。
【００２３】
また、第一回動体４の前記回動中心４２を挟んだ他方側、図示の例では後側には、筒軸を左右方向に沿わせるようにして円筒状部４８が形成されていると共に、この円筒状部４８内に短寸円柱状の錘４９がはめ込まれている。これにより、第一回動体４は、前記回動中心４２を挟んだ後側に重心４１を持つようになっている。（図６）
【００２４】
一方、第二回動体５は、前記支持体２としての本体２’に前記第一回動体４の回動中心４２と同じ位置において回動可能に支持されると共に、この回動中心４２を挟んだ一方側に重心５０を有し、かつ、他方側に第一回動体４の他方側への第一当接部５１を備えている。
【００２５】
図示の例では、第二回動体５も、前後方向に長く構成されると共に、その中央に前記本体２’の側面部２２に形成される前記軸部２３の通される軸穴５２を備えている。そして、図示の例では、第二回動体５は、この軸部２３を軸穴５２に通して、本体２’の側面部２２と第一回動体４との間においてこの本体２’に回動可能に支持されている。
【００２６】
この第二回動体５の前記回動中心４２を挟んだ一方側、図示の例では前側には、筒軸を左右方向に沿わせるようにして円筒状部５３が形成されていると共に、この円筒状部５３内に短寸円柱状の錘５４がはめ込まれている。これにより、第二回動体５は、前記回動中心４２を挟んだ前側に重心５０を持つようになっている。
【００２７】
また、この第二回動体５の前記回動中心４２を挟んだ他方側、図示の例では後側であって、その上部には、この第二回動体５の表面から側方に突き出す前記第一当接部５１としての突起５１ａが形成されている。
【００２８】
また、付勢手段６は、前記第一回動体４の他方側を前記第一当接部５１に当接させる正転方向への付勢力をこの第一回動体４に作用させるようになっている。図示の例ではかかる付勢手段６は、バネ巻回部６１に前記軸部２３を通すようにして本体２’に支持されると共に、腕部の一方６２を第一回動体４の後側の下部に下方から引っかけ、かつ、腕部の他方６３を本体２’の後述の第二当接部２４としての凸部２４ａに前方から当接させたねじりコイルバネ６０によって構成させている。（図６）このバネ６０によって第一回動体４は図６における反時計回りの付勢力（前記正転方向の付勢力）を常時蒙るようになっている。
【００２９】
また、前記第二当接部２４は、前記支持体２としての本体２’に備えられ、第二回動体５の重心５０が前記前側にあることにより、前記第二回動体５の後側に当接されるようになっている。図示の例では、第二当接部２４は、本体２’の側面部２２の外側に形成されて第二回動体５の後側の上部に上方から当接される凸部２４ａとして構成されている。そして、図示の例では、前記慣性力が作用されない通常状態においては、前記バネ６０の付勢力により正転方向に付勢される第一回動体４の後側が第二回動体５の第一当接部５１に当接され、この第二回動体５の後側が前記第二当接部２４に下方から当接されると共に、閉じ位置にあるリッド１’の右側のアーム部１０の自由端に形成された被掛合部１３の下方に前記掛合部４０が位置されてこの被掛合部１３に掛合部４０は掛合されないようになっている。（図７）すなわち、かかる通常状態においては、閉じ位置にあるリッド１’を前記のように押し込み操作すると前記ラッチ手段３とリッド１’の左側のアーム部１０の自由端との掛合が解かれて図示しないリッド１’に対する付勢手段６の付勢によりリッド１’は開き位置まで強制的に移動し本体２’の開放部２０は開放される。
【００３０】
図示の例では、かかる被掛合部１３は、リッド１’の右側のアーム部１０の自由端の表面側に形成されている。被掛合部１３は、リッド１’が閉じ位置にある状態において実質的に前後方向に延びる下側溝１３ａと、同様に前後方向に延びる上側溝１３ｂと、下側溝１３ａの溝後端１３ａ’と上側溝１３ｂの中間部とを連通させる連通溝１３ｃとを備えてなる。上側溝１３ｂの溝後端１３ｂ’はアーム部１０の後方に向いた縁部において外方に開放されている。連通溝１３ｃは下側溝１３ａとの連通側よりも上側溝１３ｂとの連通側の溝深さを大きくしている。
【００３１】
前記第一回動体４を逆転方向（図６における時計回り）に回動させ、かつ、前記第二回動体５を正転方向（図６における反時計回り）に回動させる前記慣性力が作用されたときは、第二回動体５のこの正転は前記第二当接部２４によって阻止されると共に、前記付勢手段６の付勢に抗して第一回動体４は逆転方向に回動して前記掛合部４０が閉じ位置にある開閉動作体１の被掛合部１３に掛合されるようになっている。（図８、図９）
【００３２】
一方、前記第一回動体４を正転方向に回動させ、かつ、前記第二回動体５を逆転方向に回動させる慣性力が作用されたときは、前記第一当接部５１を介して前記付勢手段６の付勢に抗してこの第一回動体４は逆転方向に回動して前記掛合部４０が閉じ位置にある開閉動作体１の被掛合部１３に掛合されるようになっている。（図１０、図１１）この実施の形態にあっては、前記第一回動体４を正転方向に回動させ、かつ、前記第二回動体５を逆転方向に回動させる慣性力が作用されたときは、第二回動体５を逆転させるモーメントが、付勢手段６の付勢力を含んだ第一回動体４を正転させるモーメントよりも大きくなるようにしてある。
【００３３】
これにより、この実施の形態にあっては、逆転方向への回動により閉じ位置にある開閉動作体１としてのリッド１’の被掛合部１３に掛合部４０を掛合させる第一回動体４に対しこれを正転方向に回動させる前記慣性力が作用されたときにおいても、第二回動体５によって第一回動体４を逆転方向に回動させて開閉動作体１の開き位置に向けた移動を抑止して、開閉動作体１が閉じ位置にある状態を前記慣性力の作用時においても維持するようになっている。
【００３４】
図示の例では、第一回動体４の逆転方向への回動により、被掛合部１３の下方に位置していた掛合部４０としてのピン体４０ａは前記板バネ４７の付勢によりアーム部１０の表面に摺接しながら上方に移動し被掛合部１３を構成する下側溝１３ａに入り込むようになっている。（図９、図１１）このとき前記慣性力の作用により閉じ位置にあるリッド１’が前記のように逆向きに押し込まれてラッチ手段３によるリッド１’の保持が解かれた場合、リッド１’は図示しない付勢手段の付勢により開き位置に向けて回動されるが、ピン体４０ａが下側溝１３ａの溝後端１３ａ’に引っかかるのでそれ以上のリッド１’の回動は阻止され、リッド１’は閉じ位置に位置づけられ続ける。（図１２）
【００３５】
この実施の形態にあっては、前記のように閉じ位置にある開閉動作体１は開き方向と逆向きに所定寸法の押し込み移動可能となっており、第一回動体４の掛合部４０が開閉動作体１の被掛合部１３に掛合した状態から開閉動作体１を前記所定寸法分押し込み移動操作したときにこの掛合が解除されるようになっている。この実施の形態にあっては、前記掛合部４０が被掛合部１３に掛合した状態（図１２）から開閉動作体１を前記所定寸法分押し込み移動操作すると、前記連通溝１３ｃを通じてピン体４０ａが上側溝１３ｂに入り込むようになっている。連通溝１３ｃはその溝深さを前記のように変化させており、連通溝１３ｃに一旦入り込んだピン体４０ａを下側溝１３ａに戻す向きの移動は前記板バネ４７の付勢に抗するものとなるので、連通溝１３ｃに入り込んだピン体４０ａは上側溝１３ｂに確実に導かれる。ピン体４０ａが上側溝１３ｂに入り込むと、リッド１’には前記図示しない付勢手段の付勢力が作用されていることから、ピン体４０ａは上側溝１３ｂの溝後端１３ｂ’から抜け出し、前記掛合が解かれるようになっている。この掛合が解かれると、前記バネ６０の作用により第一回動体４は正転方向に回動され、前記慣性力の作用前の状態に復帰される。
【符号の説明】
【００３６】
２  支持体
２４  第二当接部
４  第一回動体
４０  掛合部
４１  重心
４２  回動中心
５  第二回動体
５０  重心
５１  第一当接部
６  付勢手段
【図１】
2014012932.tif 000003
【図２】
2014012932.tif 000004
【図３】
2014012932.tif 000005
【図４】
2014012932.tif 000006
【図５】
2014012932.tif 000007
【図６】
2014012932.tif 000008
【図７】
2014012932.tif 000009
【図８】
2014012932.tif 000010
【図９】
2014012932.tif 000011
【図１０】
2014012932.tif 000012
【図１１】
2014012932.tif 000013
【図１２】
2014012932.tif 000014